(57)【要約】【課題】  構成の組み立て容易性を改善し、組み立てミスによる不具合を防ぎ、また低コスト化を実現し、とくに大型の電気機器においても低強度で低コストのカバーを採用することを可能とし、さらに安全上の問題としてのカバー半開きやインタロックの誤動作の問題もなくし得る機能を有する電気機器を提供することにある。【解決手段】  インタロックスイッチ６がカバー閉じ側の一端に配置され、カバー吸着用マグネット７、９がカバー閉じ側の両端２箇所に配置されている電気機器において、前記インタロックスイッチ６配置位置付近の前記カバー吸着用マグネット７の吸着力が他端のカバー吸着用マグネットの吸着力よりインタロックスイッチ６の動作力と同等分強くなっており、さらにそれぞれのカバー吸着用マグネットのマグネットキャッチ８、１０の取り付け形状が異なる構成を有する電気機器。【選択図】        図１
2006047772.tif 000002
【特許請求の範囲】
【請求項１】
機器本体に対して開閉自在に軸支されると共に、インタロックスイッチ作動用の突起を備えたカバーと、該カバーの自由端縁に沿って配置され且つ機器本体側に設けた２つのカバー吸着用マグネットと夫々一対一で吸着する２つの吸着用部材と、機器本体側に配置されカバーの開閉時に該突起により作動させられるとともに所定の動作力を有したスイッチ片を備えたインタロックスイッチと、機器本体側のインタロックスイッチ近傍に配置された第１のカバー吸着用マグネットと、インタロックスイッチから離間した位置に配置された第２のカバー吸着用マグネットと、を備えた電気機器において、前記第１のカバー吸着用マグネットの吸着力は、第２のカバー吸着用マグネットの吸着力よりもインタロックスイッチのスイッチ片の動作力と同等分強くなっており、さらに夫々のカバー吸着用マグネットのマグネットキャッチの取り付け形状が異なる構成を有することを特徴とする電気機器。
【請求項２】
前記第１及び第２のマグネットキャッチの取り付け形状は、一方がネジ止め式、他方がスナップフィット式であることを特徴とする請求項１記載の電気機器。
【請求項３】
前記第２のカバー吸着用マグネットと吸着する吸着用部材の吸着面にマイラ部材を取り付けて吸着力を弱くし、第１のカバー吸着用マグネットと吸着する吸着用部材の吸着力と等しくなるようにしたことを特徴とする請求項１又は２に記載の電気機器。
【請求項４】
前記マイラ部材に代えて、前記第２のカバー吸着用マグネットと吸着する吸着用部材の表面積を小さくすることを特徴とする請求項１又は２に記載の電気機器。
【発明の詳細な説明】
【技術分野】
【０００１】
本発明は、複写機、ファックス、プリンタ、またはそれらの複合機を含む画像形成装置、その他外装カバーが開閉可能な電気機器および、その他の電気機器に関するものである。
【背景技術】
【０００２】
従来、電気機器に設けた開口を開閉するために配置されるカバーには、開放時に機器内部の可動物や電気部材に人手が触れることによる事故を防止するための安全性確保の目的から、インタロックスイッチ（マイクロスイッチ）が設けられている。通常インタロックは動作精度を考慮し、マグネット等のカバー吸着箇所の付近に配置されることが知られている（例えば特許文献１ないし５参照）。
特許文献１は、開閉カバーに関連する技術で、インタロックスイッチと、マグネットキャッチを備えた画像形成装置を開示し、マグネットキャッチの位置調整可能な構成を有している。
特許文献２は、同様に開閉カバーに関連する技術で、インタロックスイッチとマグネットキャッチを備えた画像形成装置の後処理装置を開示し、スイッチ動作の安定性改善を可能にしている。
特許文献３は、テレビジョンのラック台用のマグネットキャッチの調整に関する技術である。特許文献４は、開閉カバーに関連する技術で、セイフティースイッチとマグネットキャッチを備えた画像形成装置を開示し、特許文献５は、画像形成装置用のマグネットキャッチの調整機構を開示している。
上述したように、電気機器の開閉可能なカバーには、安全性の目的から、インタロックスイッチが設けられ、通常インタロックは動作精度を考慮し、マグネット等のカバー吸着箇所の付近に配置されることが多い。
【０００３】
図６は通常のカバーの横開き構成を説明する概略斜視図である。図７は通常のカバーの縦開き構成を説明する概略斜視図である。図８はその構成を示す断面図である。
図６、図７および図８に示すように、画像形成装置の開口部を開閉するために軸支されたカバー（前カバー）１は、その端部に設けた金属板部５を装置側に設けたマグネット２等で吸着固定する。カバー１の内側に設けた突起３は、装置側に設けられた突起通過穴４を通過し、内側にあるインタロックスイッチ６等を動作させる。
図６および図７のように吸着箇所が２箇所ある場合、カバー１が変形すると、一方のみが吸着し、カバー１が半開きになる可能性がある。とくに図８に示すように、インタロックスイッチ６を配置した側はスイッチ片６ａの抵抗力により押し返されるため、このような半開き状態が発生し易い。
この状態でも、インタロックがカバーオープン状態として検知できれば問題ない。しかし、この状態はインタロックの抵抗力とカバー閉じ力が釣り合った状態であるため、インタロックスイッチ６が入ったり切れたりする境界でスイッチ動作が不安定な状態となり、正常な検知ができない可能性があるため、場合によってはインタロックスイッチ６が入った状態になり機器の誤動作の原因となってしまう。
図９はカバーの半開きを説明する概略斜視図である。そのため従来このような構成を用いる場合には、カバー１が撓まないように頑丈な構成で作り、２つのマグネットと２つの金属板５との吸着が同時に起こるようにしていた。
また、別の手段として、吸着箇所を２箇所とせず、インタロック配置側１箇所のみとすることで、図７のような半開きが発生しないような工夫もなされてきた。
【特許文献１】特開２０００−１１２１９８公報
【特許文献２】特開２００２−１９６５５５公報
【特許文献３】実開平７−００３１７５号公報
【特許文献４】特許第２７７１１９８号
【特許文献５】特開２００２−２７１０５２公報
【発明の開示】
【発明が解決しようとする課題】
【０００４】
しかし、この手段を用いる場合に、カバー強度を弱くし過ぎるとカバー１の未吸着側端部がフリーとなって変形し易く、とくに機器輸送中の振動によりカバー１が振動し、傷等の損傷が発生し易いという問題もあった。
とくに広幅複写機等の大型機器になるほど、カバーの軸部と自由端部との間の距離が大きくなり、変形量も大きくなるため、低強度、低コストのカバーを採用することが困難であった。
また、最近では機器の省スペース化に対する市場要望も高く、単に低コストを図るためでなく、より薄いカバーを使用することで機器の外形を小さくしたいという要求が高くなってきているが、カバーの厚みを薄くすることで強度が低下し、上記同様の理由で実現することが困難であった。
これを解決するために、インタロックの動作力を考慮し、インタロック側に配置するマグネットの方を、他端に配置するマグネットよりも吸着力を強くすることで、カバー閉じ部両端にかかる抵抗力を等しくして、カバー両端部が同時に吸着する作用を持たせている電気機器の開閉カバー機構が研究されている。
そこで、本発明の目的は、上述した実情を考慮して、機器本体側のマグネットと、カバー側の吸着金属との組み立て性を改善し、組み立てミスによる不具合を防ぎ、また、低コスト化を実現し、とくに大型の電気機器においても低強度で低コストのカバーを採用することを可能とし、さらに安全上の問題としてのカバー半開きやインタロックの誤動作の問題もなくし得る機能を有する電気機器を提供することにある。
【課題を解決するための手段】
【０００５】
上記の課題を解決するために、請求項１に記載の発明は、機器本体に対して開閉自在に軸支されると共に、インタロックスイッチ作動用の突起を備えたカバーと、該カバーの自由端縁に沿って配置され且つ機器本体側に設けた２つのカバー吸着用マグネットと夫々一対一で吸着する２つの吸着用部材と、機器本体側に配置されカバーの開閉時に該突起により作動させられるとともに所定の動作力を有したスイッチ片を備えたインタロックスイッチと、機器本体側のインタロックスイッチ近傍に配置された第１のカバー吸着用マグネットと、インタロックスイッチから離間した位置に配置された第２のカバー吸着用マグネットと、を備えた電気機器において、前記第１のカバー吸着用マグネットの吸着力は、第２のカバー吸着用マグネットの吸着力よりもインタロックスイッチのスイッチ片の動作力と同等分強くなっており、さらに夫々のカバー吸着用マグネットのマグネットキャッチの取り付け形状が異なる構成を有することを特徴とする。
請求項２の発明は、請求項１において、前記第１及び第２のマグネットキャッチの取り付け形状は、一方がネジ止め式、他方がスナップフィット式であることを特徴とする。
請求項３の発明は、請求項１又は２において、前記第２のカバー吸着用マグネットと吸着する吸着用部材の吸着面にマイラ部材を取り付けて吸着力を弱くし、第１のカバー吸着用マグネットと吸着する吸着用部材の吸着力と等しくなるようにしたことを特徴とする。
請求項４の発明は、請求項１又は２において、前記マイラ部材に代えて、前記第２のカバー吸着用マグネットと吸着する吸着用部材の表面積を小さくすることを特徴とする。
【発明の効果】
【０００６】
本発明によれば、両端カバー吸着力に差をつけることで、インタロックスイッチ配置側と、インタロックスイッチとは反対側の吸着が同時行われるようにし、カバー半開きやインタロック誤動作等の不具合を防止する開閉カバー構成の提供において、マグネットの逆付けを防止することで、組み付けミスが発生せず、確実に狙いの機能を提供することが可能となる。
【発明を実施するための最良の形態】
【０００７】
以下、図面を参照して、本発明の実施の形態を詳細に説明する。図１は本発明による電気機器に使用するマグネットキャッチの取り付け構造の第１の実施の形態を示す概略斜視図である。
図１には、カバー吸着用マグネット７を備えたネジ止め式のマグネットキャッチ８が示されている。マグネットキャッチ８は、ネジ止め穴８ａを利用して機器本体側にネジ止めされる。図示していないが、インタロックスイッチ（図８の符号６参照）がカバーの自由端縁に対応する機器本体側に配置されている。
カバー吸着用マグネット７は、カバー閉じ側（自由端側）の端縁に対応する機器本体側に二個、所定の間隔を隔てて配置されており、この場合に、インタロックスイッチ配置位置付近のマグネット７（第１のカバー吸着用マグネット）の吸着力が他方のマグネット（第２のカバー吸着用マグネット）の吸着力よりも、インタロックスイッチの動作力（図８に示したスイッチ片６ａの弾発力）と同等分強くなっており、さらにそれぞれのマグネットキャッチ８の取り付け形状が異なる構成を有している。
即ち、本発明の電子機器は、機器本体に対して開閉自在に軸支されると共に、インタロックスイッチ作動用の突起３を備えたカバー１と、カバーの自由端縁１ａに沿って配置され且つ機器本体側に設けた２つのカバー吸着用マグネット７と夫々一対一で吸着する２つの吸着用部材５と、機器本体側に配置されカバーの開閉時に該突起により作動させられるとともに所定の動作力を有したスイッチ片６ａを備えたインタロックスイッチ６と、機器本体側のインタロックスイッチ近傍に配置された第１のカバー吸着用マグネットと、インタロックスイッチから離間した位置に配置された第２のカバー吸着用マグネットと、を備えた電気機器において、第１のカバー吸着用マグネットの吸着力は、第２のカバー吸着用マグネットの吸着力よりもインタロックスイッチのスイッチ片の動作力と同等分強くなっており、さらに夫々のカバー吸着用マグネットのマグネットキャッチの取り付け形状が異なる構成を有する。
【０００８】
図２は本発明による電気機器に使用するマグネットキャッチの取り付けの第２の実施の形態を示す概略斜視図である。図３は図２のマグネットキャッチの取り付け穴を示す概略図である。
図２には、カバー吸着用マグネット９のスナップフィット式のマグネットキャッチ１０が示されている。スナップフィット部１０ａがマグネットキャッチ１０の背面から２つ突出している。図示してないが、インタロックスイッチ（図８参照）は機器本体側であって、カバーの自由端部１ａが対応する位置に設けられている。
本発明による電気機器では、片方のマグネット７のマグネットキャッチ８をネジ止め式とし、他方のマグネット９のマグネットキャッチ１０をスナップフィット式としている。
ネジ止め式のマグネットキャッチ８は両脇２箇所のネジ止め穴８ａをネジ（図示せず）で固定して取り付けるタイプである。スナップフィット式のマグネットキャッチ１０は背面のスナップフィット部１０ａを機器本体側の取り付け部（取り付け相手）の穴１１に嵌め込んで取り付ける（図３）。
カバー吸着用マグネットは、その外形が類似しているものが多く、とくに本発明の例のように同一カバーの両端では、通常同一のマグネットが用いられ、組み立て工程においても同工程内で組み付けられることが多い。
前述した研究中の技術では、両端に用いるマグネットに吸着力の差を持たせることで、インタロック抵抗力とのバランスを持たせているが、外形同一で吸着力のみ異なるマグネットを用いると、組み立て時に両者を混同して逆付けする可能性がある。マグネットは吸着力が異なっても外観上区別がつき難いため、目視だけでは見分けることが困難である。
マグネット部品は通常、取り付け相手に取り付けるためのマグネットキャッチと組み合わせた形態で工場内に手配、納入する。したがって吸着力の異なるマグネットも、マグネットキャッチの取り付け形態を異なるものとして、逆付け防止をすることで、外観上同じマグネットでも、逆付けによる不具合を防ぐことが可能になる。
【０００９】
図４は図６に示した前カバーおよびマグネット吸着部材構成部の第１の実施の形態をカバーの内側から見て示す概略図である。図４において、インタロック配置側マグネット吸着用金属（吸着用部材）５に対して、インタロック配置箇所とは反対側に位置するマグネット吸着用金属５にはマイラ部材１２を貼付している。
マイラ部材１２の追加によりマグネット吸着力を変化（低下）させることができるので、両端２箇所に同一のマグネットを用いることができ、マグネット部品の集約化、低コスト化を可能にする。
また、使用するマイラ部材１２の、材質、厚み、枚数等により吸着力の微調整が可能になり、より動作精度の高い開閉カバー構成を実現することが可能となる。
カバー両端に全く同一のマグネットを取り付けても、両端の吸着力を調整することが可能となるため、使用するマグネット部品を集約化し、コスト低減効果が得られる。組み立て確認も、表面マイラ部材１２の有無にて容易に目視確認ができる。
また、市販のマグネット部品は吸着力の低いものから高いものまで、幾つかの種類のものを提供しているものの、全ての吸着力を網羅してはいない。本発明にて取り上げているカバー構成では、インタロック配置側と反対側に生じる抵抗力の差をマグネット吸着力の差で相殺させることが狙いである。
このため、インタロックスイッチ抵抗力に合わせて微妙な吸着力のバランス調整が必要となる。本構成を用いれば、上述のごとく、吸着面に取り付けるマイラ部材１２の材質に加え、厚みや使用枚数を調整することで、微小な吸着力の調整が可能となり、より動作精度の高いカバー吸着構成を提供することが可能になる。
図５は図６に示した前カバーおよびマグネット吸着部材構成部の第２の実施の形態を内側から見て示す概略図である。インタロックスイッチ配置反対側の吸着用金属（吸着用部材）１３を一部切り欠き、表面積をインタロック配置側吸着用金属（吸着用部材）５よりも小さくする。この結果、吸着用金属１３の吸着力を低下させることができる。
図４の第１の実施の形態と同様に、２箇所に同一のマグネットを用いることができ、マグネット部品の集約化、低コスト化を可能にする。またマイラ部材を用いていない分、使用部品数が少なく、コスト低減効果が高い。また、吸着用部材の表面積を変化させることで吸着力の微調整をすることができ、より動作精度の高い開閉カバー構成を実現することができる。
【図面の簡単な説明】
【００１０】
【図１】本発明による電気機器に使用するマグネットキャッチの取り付けの第１の実施の形態を示す概略斜視図。
【図２】本発明による電気機器に使用するマグネットキャッチの取り付けの第２の実施の形態を示す概略斜視図。
【図３】図２のマグネットキャッチの取り付け穴を示す概略図。
【図４】図６に示した前カバーおよびマグネット吸着部材構成部の第１の実施の形態を内側から見て示す概略図。
【図５】図６に示した前カバーおよびマグネット吸着部材構成部の第２の実施の形態を内側から見て示す概略図。
【図６】通常のカバーの横開き構成を説明する概略斜視図。
【図７】通常のカバーの縦開き構成を説明する概略斜視図。
【図８】その構成を示す断面図。
【図９】カバーの半開きを説明する概略斜視図。
【符号の説明】
【００１１】
１  開閉可能なカバー（前カバー）、２  カバー吸着用のマグネット、５  インタロックスイッチ配置側マグネット吸着用金属（吸着用部材）、５’  インタロックスイッチ配置反対側マグネット吸着用金属（吸着用部材）、６  インタロックスイッチ、７  インタロックスイッチ配置側マグネット、８  ネジ止め式マグネットキャッチ、９  インタロックスイッチ配置側マグネット、１０  スナップフィット式マグネットキャッチ、１１  取り付け穴、１２  マイラ部材、１３  表面積の小さいマグネット吸着用金属（吸着用部材）
【図１】
2006047772.tif 000003
【図２】
2006047772.tif 000004
【図３】
2006047772.tif 000005
【図４】
2006047772.tif 000006
【図５】
2006047772.tif 000007
【図６】
2006047772.tif 000008
【図７】
2006047772.tif 000009
【図８】
2006047772.tif 000010
【図９】
2006047772.tif 000011